【手続補正書】
【提出日】平成16年3月8日(2004.3.8)
【手続補正１】
【補正対象書類名】明細書
【補正対象項目名】特許請求の範囲
【補正方法】変更
【補正の内容】
【特許請求の範囲】
【請求項１】
（ａ）図１および図２（配列番号２）に示す完全アミノ酸配列を持つ全長デスドメイン含有受容体ポリペプチド（ＤＲ３−Ｖ１）をコードするヌクレオチド配列、
（ｂ）図３（配列番号４）に示す完全アミノ酸配列を持つ予想されるリーダー配列を含む全長デスドメイン含有受容体（ＤＲ３）ポリペプチドをコードするヌクレオチド配列、
（ｃ）図１および図２（配列番号２）の約３６から約４２８までの位置にあるアミノ酸配列を持つＤＲ３−Ｖ１ポリペプチドをコードするヌクレオチド配列、
（ｄ）ＡＴＣＣ寄託番号９７４５６に含まれるｃＤＮＡクローンがコードするリーダーを含む完全アミノ酸配列を持つ全長ＤＲ３−Ｖ１ポリペプチドをコードするヌクレオチド配列、
（ｅ）ＡＴＣＣ寄託番号９７７５７に含まれるｃＤＮＡクローンがコードするリーダーを含む完全アミノ酸配列を持つ全長ＤＲ３ポリペプチドをコードするヌクレオチド配列、
（ｆ）ＡＴＣＣ寄託番号９７４５６に含まれるｃＤＮＡクローンがコードするアミノ酸配列を持つ成熟ＤＲ３−Ｖ１ポリペプチドをコードするヌクレオチド配列、
（ｇ）ＡＴＣＣ寄託番号９７７５７に含まれるｃＤＮＡクローンがコードするアミノ酸配列を持つ成熟ＤＲ３ポリペプチドをコードするヌクレオチド配列、
（ｈ）ＤＲ３の細胞外ドメインをコードするヌクレオチド配列、
（ｉ）ＤＲ３の膜貫通ドメインをコードするヌクレオチド配列、
（ｊ）ＤＲ３の細胞内ドメインをコードするヌクレオチド配列、
（ｋ）ＤＲ３のデスドメインをコードするヌクレオチド配列、および
（ｌ）ヌクレオチド配列（ａ）、（ｂ）、（ｃ）、（ｄ）、（ｅ）、（ｆ）、（ｇ）、（ｈ）、（ｉ）、（ｊ）または（ｋ）のいずれかに相補的なヌクレオチド配列、
から構成される群から選択した配列と少なくとも９５％同一なヌクレオチド配列を持つポリヌクレオチドを含む分離された核酸分子。
【請求項２】
そのポリヌクレオチドが図１および図２（配列番号１）に示す完全ヌクレオチド配列を持つ請求項１の核酸分子。
【請求項３】
そのポリヌクレオチドが図１および図２（配列番号２）に示す完全アミノ酸配列を持つデスドメイン含有受容体ポリペプチドをコードする図１（配列番号１）に示すヌクレオチド配列を持つ請求項１の核酸分子。
【請求項４】
そのポリヌクレオチドが図１および図２（配列番号２）に示すアミノ酸配列を持つ成熟デスドメイン含有受容体ポリペプチドをコードする図１および図２（配列番号１）に示すヌクレオチド配列を持つ請求項１の核酸分子。
【請求項５】
そのポリヌクレオチドがＡＴＣＣ寄託番号９７４５６に含まれるｃＤＮＡクローンの完全ヌクレオチド配列を持つ請求項１の核酸分子。
【請求項６】
そのポリヌクレオチドが図３（配列番号３）に示す完全ヌクレオチド配列を持つ請求項１の核酸分子。
【請求項７】
そのポリヌクレオチドが図１および図２（配列番号２）に示す完全アミノ酸配列を持つデスドメイン含有受容体ポリペプチドをコードする図１および図２（配列番号１）に示すヌクレオチド配列を持つ請求項１の核酸分子。
【請求項８】
そのポリヌクレオチドが図３（配列番号４）に示すアミノ酸配列を持つ成熟デスドメイン含有受容体ポリペプチドをコードする図３（配列番号３）に示すヌクレオチド配列を持つ請求項１の核酸分子。
【請求項９】
そのポリヌクレオチドがＡＴＣＣ寄託番号９７７５７に含まれるｃＤＮＡクローンの完全ヌクレオチド配列を持つ請求項１の核酸分子。
【請求項１０】
そのポリヌクレオチドがＡＴＣＣ寄託番号９７４５６に含まれるｃＤＮＡクローンがコードする完全アミノ酸配列を持つデスドメイン含有受容体ポリペプチドをコードするヌクレオチド配列を持つ請求項１の核酸分子。
【請求項１１】
そのポリヌクレオチドがＡＴＣＣ寄託番号９７４５６に含まれるｃＤＮＡクローンがコードするアミノ酸配列を持つ成熟デスドメイン含有受容体ポリペプチドをコードするヌクレオチド配列を持つ請求項１の核酸分子。
【請求項１２】
そのポリヌクレオチドがＡＴＣＣ寄託番号９７７５７に含まれるｃＤＮＡクローンがコードする完全アミノ酸配列を持つデスドメイン含有受容体ポリペプチドをコードするヌクレオチド配列を持つ請求項１の核酸分子。
【請求項１３】
そのポリヌクレオチドがＡＴＣＣ寄託番号９７７５７に含まれるｃＤＮＡクローンがコードするアミノ酸配列を持つ成熟デスドメイン含有受容体ポリペプチドをコードするヌクレオチド配列を持つ請求項１の核酸分子。
【請求項１４】
請求項１の（ａ）、（ｂ）、（ｃ）、（ｄ）、（ｅ）、（ｆ）、（ｇ）、（ｈ）、（ｉ）、（ｊ）、（ｋ）、または（ｌ）に示すヌクレオチド配列と同一なヌクレオチド配列を持つポリヌクレオチドとストリンジェントなハブリッド形成条件下にハイブリッド形成をするが、そのハイブリッド形成をするポリヌクレオチドはストリンジェントなハイブリッド形成条件下にはＡ残基のみまたはＴ残基のみから構成されるヌクレオチド配列を持つポリヌクレオチドとはハイブリッド形成をしないポリヌクレオチドを含む分離された核酸分子。
【請求項１５】
請求項１の（ａ）、（ｂ）、（ｃ）、（ｄ）、（ｅ）、（ｆ）、（ｇ）、（ｈ）、（ｉ）、（ｊ）または（ｋ）に示すアミノ酸配列を持つデスドメイン含有受容体ポリペプチドのエピトープを持つ部分のアミノ酸配列をコードするポリヌクレオチドを含む分離された核酸分子。
【請求項１６】
図１および図２（配列番号２）のアミノ酸残基約１から約２２までを含むポリペプチド、図１および図２（配列番号２）のアミノ酸残基約３３から約５６までを含むポリペプチド、図１および図２（配列番号２）のアミノ酸残基約５９から約８２までを含むポリペプチド、図１および図２（配列番号２）のアミノ酸残基約９５から約１１２までを含むポリペプチド、図１および図２（配列番号２）のアミノ酸残基約１２２から約１３３までを含むポリペプチド、図１および図２（配列番号２）のアミノ酸残基約１６１から約１７７までを含むポリペプチド、図１および図２（配列番号２）のアミノ酸残基約１７９から約１９０までを含むポリペプチド、および図１および図２（配列番号２）のアミノ酸残基約１９６から約２０５までを含むポリペプチド、から構成される群から選択したデスドメイン含有受容体ポリペプチドのエピトープを持つ部分をコードする請求項１５の分離された核酸分子。
【請求項１７】
請求項１の分離された核酸分子をベクターに挿入することを含む組換えベクターの製造方法。
【請求項１８】
請求項１７の方法によって製造した組換えベクター。
【請求項１９】
請求項１８の組換えベクターを宿主細胞に導入することを含む組換え宿主細胞の製造方法。
【請求項２０】
請求項１９の方法によって製造した組換え宿主細胞。
【請求項２１】
請求項２０の組換え宿主細胞をそのポリペプチドが発現される条件下に培養することおよびそのポリペプチドを回収することを含むデスドメイン含有受容体ポリペチドの組換え製法。
【請求項２２】
（ａ）図１および図２（配列番号２）に示すリーダー配列を含む完全４２８アミノ酸配列を持つＤＲ３−Ｖ１ポリペプチドのアミノ酸配列、
（ｂ）図３（配列番号４）に示すリーダー配列を含む完全４１７アミノ酸配列を持つＤＲ３ポリペプチドのアミノ酸配列、
（ｃ）図１および図２（配列番号２）の約３６から約４２８までの位置のアミノ酸配列を持つＤＲ３−Ｖ１ポリペプチドのアミノ酸配列、
（ｄ）ＡＴＣＣ寄託番号９７４５６に含まれるｃＤＮＡクローンがコードするリーダーを含む完全アミノ酸配列を持つＤＲ３−Ｖ１ポリペプチドのアミノ酸配列、
（ｅ）ＡＴＣＣ寄託番号９７７５７に含まれるｃＤＮＡクローンがコードするリーダーを含む完全アミノ酸配列を持つＤＲ３ポリペプチドのアミノ酸配列、
（ｆ）ＡＴＣＣ寄託番号９７４５６に含まれるｃＤＮＡクローンがコードするアミノ酸配列を持つ成熟ＤＲ３ポリペプチドのアミノ酸配列、
（ｇ）ＡＴＣＣ寄託番号９７７５７に含まれるｃＤＮＡクローンがコードするアミノ酸配列を持つ成熟ＤＲ３ポリペプチドをコードするアミノ酸配列、
（ｈ）ＤＲ３の細胞外ドメインのアミノ酸配列、
（ｉ）ＤＲ３の膜貫通ドメインのアミノ酸配列、
（ｊ）ＤＲ３の細胞内ドメインのアミノ酸配列、
（ｋ）ＤＲ３のデスドメインのアミノ酸配列、および
（ｌ）（ａ）、（ｂ）、（ｃ）、（ｄ）、（ｅ）、（ｆ）、（ｇ）、（ｈ）、（ｉ）、（ｊ）または（ｋ）のポリペプチドのいずれか一つのエピトープを持つ部分のアミノ酸配列、
から構成される群から選択した配列に少なくとも９５％同一なアミノ酸配列を持つ分離されたデスドメイン含有受容体ポリペプチド。
【請求項２３】
請求項２２のデスドメイン含有受容体ポリペプチドに特異的に結合する分離された抗体。
【請求項２４】
アポトーシスの阻害に関連する疾患および障害の処置のための医薬組成物の製造における、請求項２２に記載のポリペプチドまたはそのアゴニストの使用。
【請求項２５】
アポトーシスの増加に関連する疾患および障害の処置のための医薬組成物の製造における、請求項２２に記載のポリペプチドのアゴニストの使用。
【請求項２６】
炎症性の疾患および障害の処置のための医薬組成物の製造における請求項２２に記載のポリペプチドのアンタゴニストの使用。
【請求項２７】
モノクローナル抗体である請求項２３に記載の抗体。
【請求項２８】
Ｆａｂ断片である請求項２３に記載の抗体。
【請求項２９】
Ｆ（ａｂ’）２断片である請求項２３に記載の抗体。
【請求項３０】
該抗体がウエスタンブロットで該ポリペプチドに特異的に結合する請求項２３に記載の抗体。
【請求項３１】
該抗体がＥＬＩＳＡで該ポリペプチドに特異的に結合する請求項２３に記載の抗体。